(57)【要約】【課題】  電気掃除機用吸込具に内蔵する機構部品が動作中に発生する熱を冷却するために設けた吸気口の、フィルタに付着した塵を自動的に検知し報知する電気掃除機用吸込具を得る。          【解決手段】  吸込具１の外郭を貫通するように設けた冷却用空気の吸気口９と、吸気口に配設した集塵用フィルタと、吸気口からの吸気流領域に配設した温度センサ１１と、温度センサに電気的に接続され、前記温度センサの出力を入力する演算回路１２と、前記演算回路に接続された制御回路１３と、前記制御回路からの制御信号に応じて作動する表示装置１４とを備え、検知温度が予め設定した閾値を超えた時点で表示装置を点灯あるいは点滅させ、フィルタが目詰まりしていることを使用者に報知する。【選択図】          図２
2011056096.tif 000002
【特許請求の範囲】
【請求項１】
動作中に熱を発生する機構部品を内蔵する電気掃除機用吸込具であって、
前記吸込具の外郭を貫通するように設けられた前記機構部品冷却用空気の吸気口と、
前記吸気口に配設された集塵用フィルタと、
前記吸気口の吸気流の流域内で前記フィルタより下流の流域内に配設された第１の温度センサと、前記温度センサに接続された演算制御回路と、前記演算制御回路に接続された表示装置と、を備えた吸気口フィルタ目詰まり検知手段と、
を備え、
前記吸気口フィルタ目詰まり検知手段は、前記温度センサの出力信号を元に前記外郭内の空気の温度を検出して前記フィルタの目詰まり状態を検知するとともに、前記検知した目詰まり状態を報知するよう構成した電気掃除機用吸込具
【請求項２】
前記吸込具の外郭の外部に第２の温度センサを設けるとともに、前記演算制御回路は前記第２の温度センサ出力の入力端子を備え、
前記吸気口フィルタ目詰まり検知手段は、前記第２の温度センサの出力信号を元に検出した温度と前記第１の温度センサの出力信号を元に検出した温度との温度差を元に、目詰まり状態の表示を行うよう構成した、請求項１に記載の電気掃除機用吸込具。
【請求項３】
前記機構部品は、電動ブラシ用駆動モータである、請求項１又は請求項２に記載の電気掃除機用吸込具
【請求項４】
前記機構部品は、前記駆動モータの回転を前記電動ブラシに伝動するためのギヤ部品である、請求項１ないしは請求項２に記載の電気掃除機用吸込具
【請求項５】
継手パイプを備え、
前記演算制御回路は、前記継手パイプを挟んで前記駆動部品の反対側の位置に配設した、請求項１ないしは請求項４のいずれかに記載の電気掃除機用吸込具
【請求項６】
前記駆動モータの運転を制御するモータ用保護装置を備え、
前記演算制御回路は目詰まり状態の表示を制御する報知制御を行うとともに前記保護装置に前記報知制御に関する情報を出力し、前記保護装置は前記報知制御と連動して前記駆動モータの運転制御を行うよう構成した、請求項３に記載の電気掃除機用吸込具
【請求項７】
前記保護装置は前記モータの動作状況情報を前記演算制御回路に出力し、前記演算制御回路は前記モータの運転時間中のみ検知手段を稼動させるよう構成した、請求項６に記載の電気掃除機用吸込具
【請求項８】
前記温度センサ用に輻射熱遮断用の遮熱板を配設した、請求項１ないしは請求項７のいずれかに記載の電気掃除機用吸込具
【請求項９】
請求項１ないし請求項８のいずれかに記載の電気掃除機用吸込具と、
前記吸込具と接続可能な接続口をもつホースまたはパイプと、
前記ホースまたはパイプと接続可能な前記掃除機本体と、
を備えた電気掃除機
【請求項１０】
前記表示装置を前記掃除機本体に配設し、前記報知装置と前記演算制御回路との間を前記前記ホースまたはパイプに配設した接続線により接続した、請求項９に記載の電気掃除機
【発明の詳細な説明】
【技術分野】
【０００１】
この発明は、モータ駆動の回転ブラシを搭載した電気掃除機用吸込具及び電気掃除機に関するものである。
【背景技術】
【０００２】
従来の電気掃除機用吸込具においては、モータ駆動の回転ブラシを吸込具に搭載しゴミの収集力を向上させる方法が採用されることが多い。その場合、駆動モータやギアボックスなどの機構部品などから熱が発生するため、外気を吸引しその吸気流を当該部品に当てて冷却するための吸気口を設けているものが知られている。
この場合、電気掃除機用吸込具と接続した掃除機本体のファンの運転により吸引力が発生し、吸込具の底面の吸込口から床などの清掃面の埃や塵を吸引するのと同時に、その吸引力の一部を利用し吸気口から冷却用の外気を吸引している。
吸気口には、吸引される空気中に浮遊する埃や塵の浸入を防止するためのフィルタが設けられ、フィルタ面に埃が堆積するのを防止するため、定期的に埃や塵を除去するようになっている（たとえば、非特許文献１参照）。
【先行技術文献】
【非特許文献】
【０００３】
【非特許文献１】「三菱掃除機ＴＣ−Ｃ３ＺＧ取扱説明書」三菱電機株式会社、三菱電機ホーム機器株式会社、１８ページ
【発明の概要】
【発明が解決しようとする課題】
【０００４】
従来の電気掃除機用吸込具では、掃除機の使用者がその都度目視でフィルタの目詰まり状態を確認してフィルタ面に付着した埃や塵を除去していた。
そのまま目詰まり状態を放置し電気掃除機用吸引具を使用していると、（１）埃や塵が堆積していくに従い通気性が悪くなるため冷却性が低下し、ひいてはモータが過熱され保護装置が作動して駆動モータが停止しやすくなる、（２）モータからの発熱で周囲の樹脂部品が熱変形し、回転機構部品の勘合性が悪くなって回転ブラシの回転不良が発生、あるいは異常な振動や騒音を発生する、（３）フィルタが目詰まりして吸気口からの吸気量が減少した分、吸込具の外郭の隙間などを通って空気が直接吸引されるようになり、それとともに床面の埃や塵が吸引されて回転機構部品に付着して堆積し故障などの原因になる、といった動作不良に至る可能性があった。そのため、使用者はフィルタの目詰まり状態を掃除機を使用する都度目視によって確認する必要があり、面倒であった。
【０００５】
この発明は、上記のような課題を解決するためになされたもので、その目的は、吸気口に配設したフィルタの目詰まり状態を自動的に検知するとともに、目詰まり状態の表示や使用者への報知を可能とする手段を持つ電気掃除機用吸込具を提供することである。
【課題を解決するための手段】
【０００６】
この発明に係る電気掃除機用吸込具は、吸込具の外郭を貫通するように設けられた機構部品冷却用空気の吸気口と、前記吸気口に配設され吸気流中の埃や塵を捕集するための集塵用フィルタと、吸気口のからの吸気流の流域内に配設された温度センサと、前記温度センサの出力を入力する演算制御回路と、前記演算制御回路からの出力制御信号に応じて作動する表示装置とを備え、前期温度センサの出力信号を元に前記外郭内の空気の温度を検出して前記フィルタの目詰まり状態を検知するとともに、前記検知した目詰まり状態を報知するよう構成したものである。
【発明の効果】
【０００７】
この発明によれば、冷却用空気の吸気口に設けられたフィルタの目詰まりを自動的に検知して報知でき、フィルタに付着した埃の除去する時期を容易に知ることができる。
【図面の簡単な説明】
【０００８】
【図１】この発明の実施の形態１を示す電気掃除機用吸込具の上面図である。
【図２】この発明の実施の形態１を示す電気掃除機用吸込具の内部構造を示す上面図である。
【図３】この発明の実施の形態１を示す電気掃除機用吸込具の内部構造を示す側面図である。
【図４】この発明の実施の形態１における電気掃除機用吸込具のフィルタ目詰まり検知手段のブロックである。
【図５】この発明の実施の形態１における電気掃除機用吸込具の温度センサの温度履歴を示すグラフである。
【図６】この発明の実施の形態２を示す電気掃除機用吸込具の内部構造を示す側面図である。
【図７】この発明の実施の形態２を示す電気掃除機用吸込具フィルタ目詰まり検知手段のブロック図である。
【図８】この発明の実施の形態２における電気掃除機用吸込具の温度センサの温度履歴を示すグラフである。
【図９】この発明の電気掃除機用吸込具を備えた電気掃除機上面図である。
【発明を実施するための形態】
【０００９】
実施の形態１．
以下に、この発明の実施の形態１として、電動ブラシを内蔵した電機掃除機用吸込具で最も発熱の大きいブラシ駆動用モータの冷却用空気の吸気口に温度センサを配設した場合について、図１から図５をもとに説明する。なお、以下の各実施の形態の図において同一ないしは同様のものには、同一ないしは対応する番号を付している。
図１は、この発明の実施の形態における電機掃除機用吸込具の上面図であり、図２は、図１に示す電気掃除機用吸込具の内部構造を示す上面図である。
図１及び図２において、電気掃除機用吸込具１は、吸込具本体１ａと、電動ファンおよび集塵フィルタ（図示しない）を内蔵した掃除機本体に延長用ホースやパイプなど（図示しない）を介して吸込具を繋ぐための継手パイプ１ｂと、から形成される。
【００１０】
吸込具本体１ａの底面にある吸込口（図示しない）に回転ブラシ本体２ａが軸受２ｃによって回転自在に軸支され、また吸込具本体１ａの内部にモータ３が配設される。
また、モータ本体３ａの先端にはモータギア３ｂが取り付けられ、前記モータギア３ｂと、中間ギア５の一部を成す大ギア５ａとの間に第一のベルト７が架けられる。また中間ギア５の一部を成す小ギア５ｂと、回転ブラシギア２ｂとの間に第二のベルト８が架けられており、これらの機構部品はギアボックス４に格納される。
一方、継手パイプ１ｂを挟んでモータ３の反対側には、保護装置１０が格納される。
ギアボックス４、モータ３及び保護装置１０が格納された近傍には、吸込具本体１ａの上面に位置してそれぞれギア冷却用空気の吸気口９ａ、モータ冷却用空気の吸気口９ｂ、基板冷却用空気の吸気口９ｃが各々２個ずつ設けられており、どの吸気口にも集塵用フィルタ(図示しない)が被せられている。なお、図２においては、各吸気口は吸込具の内部構造ではないが、説明の便宜のため一点差線により記載している。
【００１１】
また温度検出手段である温度センサ１１は、モータ冷却用空気の吸気口９ｂの中ではなく、吸込具本体１ａの外郭内に、１個配設される。温度センサ１１の大きさと吸気口との位置関係は、吸気口からの吸気が直接当たる吸気流領域内であるが、冷却性能や気流に大きく影響しないように配置される。また、継手パイプ１ｂを挟んでモータ３と反対側に、温度センサに接続された演算回路１２、制御回路１３、表示装置１４が格納される。
なお図中、番号は付していないが、モータと保護装置間をつなぐ接続線や、温度センサと演算装置、制御装置表示装置の間をつなぐ接続線が配設されている。
また、図２では表示装置はいないが外郭を通し表示内容が外側から認知できるものとするが、外郭表面に配設するようにしてもよい。
また、図示していないが、モータの電源は吸込具に内蔵したバッテリーあるいは掃除機本体から供給されるものとし、演算制御回路等の電源はモータの電源と共用する。
図３は、この発明の実施の形態を示す電機掃除機用吸込具の内部構造を示す側面図である。説明の簡略化のため、吸込具本体の外郭、吸気口、温度センサ、モータ及びギアボックス内の部品のみを示している。
【００１２】
図において、モータ冷却用空気の吸気口９ｂの内側に温度センサ１１が配設されている。また、Ａは吸込具の筐体の外側から内側へ流れる吸気流を示している。
図４は、この発明の実施の形態における電気掃除機用吸込具のフィルタ目詰まり検知手段のブロック図を示している。各ブロックは機能の単位を示し、実際の装置においては、（１）合体した機能とする、（２）一体的にあるいは一部を分離して実装する、など各種形態が可能である。
図において、温度センサ１１の出力は演算回路１２に入力され、前記演算回路１２は前記温度センサ１１の温度変動を検出する。制御回路１３は、たとえばＬＥＤ素子からなる表示装置１４を演算回路１２の出力に応じて作動させＬＥＤを点滅させるように構成されている。
図５は、この発明の実施の形態における電気掃除機用吸込具の、温度センサの温度履歴の一例を示すグラフである。図において横軸はモータの運転時間、縦軸は温度であり、１５は吸込具の周囲空気温度、１６はフィルタ目詰まりなしの場合の吸気口内側の内部空気温度、１７はフィルタ目詰まりした場合の吸気口内側の内部空気温度、１８は予め設定した温度閾値、Ｂは吸気口内側の内部空気温度が予め設定した温度閾値を超えた時点を示す。
【００１３】
次に動作について説明する。
掃除機本体が使用を開始されると同時にモータ３が回転し始め、前記モータ３の回転は先端に取り付けられたモータギア３ｂと、中間ギア５の一部を成す大ギア５ａとの間に架けられた第一のベルト７により中間ギア５に伝動される。さらに中間ギア５の一部を成す小ギア５ｂと、ブラシギア２ｂとの間に架けられた第二のベルト８により、回転ブラシに伝動される。掃除機本体が使用されているときには、掃除機本体のファンの回転することにより、吸込口本体の下面吸込口から床面上の埃が吸い込まれるとともに吸込口本体１の上面に設けた各吸気口９ａ、９ｂ、９ｃから空気が吸込口本体内に吸い込まれる。そのため、モータ３が発熱しても、吸込具の周囲空気温度１５の変化は小さく、またフィルタに埃が付着していない状態では、前記温度センサ１１は吸気流Ａにより十分冷却されるので、内部空気温度１６と周囲空気温度１５とはほぼ同じ温度を示す。
【００１４】
すなわち演算回路１２により検知される温度の上昇幅は小さく、予め設定した温度閾値１８を超えないため、表示装置１４は作動しない。しかし運転時間が長くなり、フィルタに埃が徐々に付着し、堆積して吸気口からの外気の吸入量が減少すると、それまで吸気流Ａによって冷却されていた温度センサ１１が冷却されにくくなり、検知温度１７は上昇する。検知温度１７が予め設定した温度閾値１８を超えた時点Ｂで、制御回路１３により表示装置１４を点灯あるいは点滅をさせ使用者の注意を促すことが可能となる。
【００１５】
以上のように、本実施の形態による電気掃除機用吸込具は、温度センサでモータ冷却用空気の吸気口からの吸気流の温度を検出し、温度が予め設定した閾値を超えた時点で制御装置により自動的に表示装置を点灯あるいは点滅させるため、使用者はフィルタの目詰まりを容易に知ることができる。
また、その時点で使用者は、吸気口のフィルタ掃除の動機付けがなされてフィルタを掃除することでモータが正常に冷却されるようになるため、モータの過熱や周囲の樹脂部品の熱変形を防止し故障に至る可能性を低減することができ、よって吸込具が長寿命化できる。さらには、熱変形しないことで、その影響で回転ブラシが回転不良を引き起こすこともなく、異常な振動や騒音を発生することもない。
【００１６】
また、継手パイプを挟んでモータと反対側の離れた位置に演算回路及び制御回路が格納されることにより、駆動モータやギアなどの機構部品からの発熱の影響を軽減し、電気部品の温度上昇による性能劣化などを防止することができる。
また、報知手段である表示装置としてＬＥＤ素子を用いて表示することにより、長寿命・低消費電力な表示装置を構成することが可能である。
【００１７】
また、吸込具の内部構造に起因して演算回路及び制御回路を機構部品から離れた位置に格納しても機構部品の発熱の影響がある場合に、上記回路冷却用空気の吸気口を設け、温度センサを追加的に配設して演算回路と接続し、回路冷却用空気の吸気口のフィルタ目詰まりをさらに検知するようにしてもよい。
このような複数温度センサを採用した場合に、演算制御回路においてたとえば温度センサ別に重み付けや複数の閾値を用いて報知制御や表示を行うことにより、報知制御または目詰まり状態の表示内容に反映してもよい。
以上のように、温度センサの数、配置、報知制御への反映の仕方に関しては、各種の変更が可能であり、吸込具の構成、構造、部品の配置などに応じてフィルタ目詰まり状態表示として最適な形態を採用することができる。
【００１８】
実施の形態２．
以下に、実施の形態２について、図６ないし図８を用いて説明する。
図６は、この発明の実施の形態を示す電気掃除機用吸込具の内部構造を示す側面図であり、実施の形態１に記載の図３と同様の側面図である。なお、以下の各実施例においては、上記実施の形態１と同一ないしは同様の部品・機能等においては、同一ないしは同様の番号を付しその説明を省略する。
図において、モータ冷却用空気の吸気口９ｂの外側、つまり吸込具の外側に第二の温度センサ１９、モータ冷却用空気の吸気口９ｂの内側、つまり吸込具の内側に第一の温度センサ２０が配設されている。
図７は、この発明の実施の形態における電気掃除機用吸込具のフィルタ目詰まり検知手段のブロック図を示すものである。説明の簡略化のため、吸込具本体の外郭、吸気口、温度センサ、ギアボックス内の部品のみ示している。
図において、第一の温度センサ１９及び第二の温度センサ２０の出力は演算回路１２に入力され、前記演算回路１２は前記第一の温度センサ１９と第二の温度センサ２０の温度差を検出する。そして演算回路１２の出力に応じて制御回路１３は、表示装置１４を作動させるように構成されている。
【００１９】
図８は、この発明の実施の形態における電気掃除機用吸込具の、温度センサの温度履歴を示すグラフである。図において横軸は駆動モータの運転時間、第一縦軸は温度、第二縦軸は温度差であり、２１は吸込具の周囲空気温度、１６はフィルタ目詰まりなしの場合の吸気口内側の内部空気温度、１７はフィルタ目詰まりした場合の吸気口内側の内部空気温度、２４は前記吸込具の周囲空気温度２１と前記フィルタが目詰まりした場合の吸気口内側の内部空気温度２３との温度差、２５は予め設定した温度差の閾値、Ｃは前記周囲空気温度２１と前記吸気口内側の内部空気温度２３との温度差が、予め設定した温度差の閾値を超えた時点を示す。
【００２０】
次に動作について説明する。
このように構成された電気掃除機用吸込具１においては、第一の温度センサ１９で吸込具の周囲空気温度２１を検知しており、また第二の温度センサ２０で冷却口のすぐ内側の温度を検知している。運転によりモータ３が発熱しても、吸込具の周囲空気温度２１の変化は小さく、またフィルタに埃が付着していない状態では、第二の温度センサ２０は吸気流Ａにより十分冷却されるので、内部空気温度２２と周囲空気温度２１とはほぼ同じ温度を示す。したがって演算装置により検知される温度差は小さく、予め設定した温度差の閾値２５を超えないため、表示装置１４は作動しない。
【００２１】
しかし運転時間が長くなり、フィルタに埃が徐々に付着し、堆積して外気からの吸入量が減少すると、それまで吸気流Ａによって冷却されていた第二の温度センサが冷却されにくくなり、第二の温度センサの検知温度は上昇する。その結果、第一の温度センサと第二の温度センサの温度差が大きくなり、予め設定した温度差の閾値２４を超えた時点Ｃで、制御装置１３により表示装置１４を点灯あるいは点滅させる。
【００２２】
以上のように、本実施の形態による電気掃除機用吸込具は、第一の温度センサと第二の温度センサの温度差を出力するので、たとえば季節によって吸込具の周囲空気温度が大きく異なる場合や、あるいは運転中に吸込具の周囲空気温度が変化した場合でも、フィルタの目詰まりをより正確に検知し、使用者に報知することができる。
なお、上記各実施の形態においては、第二の温度センサは、外郭内に配設された温度先センサと外郭を挟んで対称的な位置に配設しているが、吸込具の周囲空気温度を測定可能であればよいので、吸気口に流入する吸気流の流域内でなくともよい。
【００２３】
また、上記各実施の形態においては、閾値を越えた時点で表示装置を動作させているが、たとえば（１）閾値を越えた時点では長い周期で点滅し、さらにモータの運転が続いた場合は短い周期で点滅する、（２）第２の温度センサにより検出される周囲空気温度によって、第１の温度センサにより検出される内部空気温度と検知手段による目詰まり状態の検知との関係を計算式や補正テーブルなどで補正し、表示装置の表示内容を変更するよう制御装置で制御する、など各種の変形が可能である。
【００２４】
また、上記各実施の形態では、モータ冷却口９ｂの空気温度を検出したが、（１）吸込具各部の発熱量、（２）フィルタ目詰まりによる熱変形の容易さの程度、（３）モータとギアが近接しているかなどの位置関係、に応じ、モータ冷却口９ｂの代わりにギア冷却口９ａの内側の空気温度を検出してもよく、フィルタの目詰まりの影響の大きいに部品の劣化を効率よく事前防止することができる。あるいは、上記列挙した要因によっては、モータ冷却口とギア冷却口の両方に対し温度センサを設け両方の温度を検出し、いずれかの温度が閾値を超えた場合に点灯する構成としてもよい。
【００２５】
また、上記各実施の形態では、検知手段単体で動作を行うよう構成されているが、上記各実施の形態の変形として、モータの保護装置１０と制御回路１３との間に、片方向又は双方向の接続線（図示しない）を設け、各種情報を通知し、検知（報知）動作とモータ保護動作とで連係動作をするよう構成してもよい。ここで保護装置１０は、たとえば動作中のモータの劣化による異常電流を検出し、モータの異常を検出すると稼動中のモータ３を停止するといった制御を行う装置である。
【００２６】
たとえば、上記各実施の形態においては、モータ３が運転され検出温度あるいはその差分が閾値を越えた時点で表示装置１４により報知する構成について示したが、さらにそのまま運転を続けて検知温度１７や温度差２４が第２の閾値、たとえば閾値１７プラスα、を制御回路に予め設定しておき、その値を超えた場合に、制御回路１３から保護装置１０に温度情報ないしは目詰まり状態情報を接続線によって通知し、表示装置１４が最初の閾値を越えた場合の報知動作と異なる報知動作をすると同時に保護装置１０がモータ３を停止させるように構成してもよい。
あるいは、閾値を超えた時点で表示装置１４を点灯させるとともに制御回路１３から保護装置１０に情報を出力し、さらに検出温度が下がった時点で再度制御回路１３から通知するようにし、保護装置１０では検出温度が下がって目詰まり表示が消えるまでモータの停止解除をしないといった制御を行うよう構成してもよい。
【００２７】
以上のように、接続線を介して連係動作を行う構成とすることにより、使用者がフィルタの目詰まりを解消し、十分な吸気流により温度センサ９ｂが冷却されないと電動ブラシを作動させることができないので、使用者に対する報知及びフィルタ掃除の動機付けがより確実となり、ひいては駆動部品の故障の確率をより低減させることが可能となる。
【００２８】
あるいは、接続線を介した逆方向の通知の場合として、たとえばモータの保護装置１０から制御回路１３にモータの動作状況(運転中/停止中)情報を通知し、通知を受けた制御回路１３ではモータの運転時間中のみ目詰まり検知手段を動作させるように構成してもよい。
使用者が電動ブラシ３を作動していない場合は発熱がないので特に目詰まり検知を行う必要がなく、あるいは、モータが運転していない状態では冷却が不要であるので、検知手段を停止することで省電力化及び検知手段の寿命の長期化が可能となる。
【００２９】
検知手段とモータの保護装置とが連動した制御を行うように構成した場合には、保護装置を演算制御回路に内蔵し独立した保護装置を省略すること、あるいはその逆も可能であり、主にソフトウェアによる制御で達成可能なので、ハードウェア的に部品を増やすことなく機能追加が可能となる。
【００３０】
また、上記各実施の形態においては、単に検出した温度と設定閾値とに基づいて表示装置を制御しているが、演算装置は平均化処理や周波数フィルタなどにより誤差を除去する演算を行うことが可能であり、ノイズによる誤検出の防止や、温度検知精度を向上させることができる。
また、上記各実施の形態においては、ＬＥＤ表示装置による点灯などにより報知手段である表示装置を形成しているが、表示装置で音や音声などの発生機能により報知させる、あるいは音や音声の発生機能などを組み合わせるようにして、報知の認識率を向上させるようにしてもよい。
【００３１】
また、上記各実施の形態においては、温度センサ単体をそのまま外郭の内外に配設しているが、たとえば（１）温度センサと接して、（２）温度センサの近傍、あるいは（３）モータまたはギアと温度センサとの間に、発熱する機構部品からの輻射熱を遮断する遮熱板あるいは遮熱壁等の遮熱構造（図示しない）を形成してもよい。遮熱の構造としては、（１）温度センサの周囲の一部を覆う、（２）吸気口からモータやギアで至る吸気流の流れが直線的にならないように吸込具に内壁（図示しない）を設けるなど各種の方法が可能であり、また、材料としては（１）プラスチック材料を用いる、（２）外郭材料と同じ材料を用いるなど各種の方法が可能であり、遮熱効果が得られる構造であれば特定の形状や材質に限定されない。
遮熱構造は大きさと吸気口や発熱機構部品との位置関係は、冷却性能や気流に大きく影響しないように配置される。
遮熱可能な構造を形成することにより、モータやギアなどからの輻射熱が直接温度センサに達し検出温度が空気温度を正確に反映しなくなることを防止できるので、フィルタ目詰まり検出精度が向上する。
【００３２】
また、上記各実施の形態では、各吸気口として２個ずつ外郭に穴を設け、また、温度センサは吸気口当たり１個配設しているが、各実施の形態に限定されない。
【００３３】
実施の形態３．
以下に、実施の形態３について、図９を用いて説明する。
図９は、この発明の実施の形態における電気掃除機用吸込具を備えた電気掃除機の上面図である。
図において掃除機は、上記各実施の形態に記載の吸込具１と、吸込み具１の継手パイプ１ｂと接続可能な接続口（図示しない）をもつ延長用ホースあるいはパイプ２６と、前記ホースあるいはパイプ２６と接続可能な掃除機本体２７とからなる。
吸込具１の構成・動作に関しては上記各実施の形態と同様であるのでその説明を省略する。
【００３４】
なお、本発明の実施の形態においては、吸込み具へ電力を供給は、掃除機本体の電源から延長用ホース又はパイプ２６に内蔵した接続線（図示しない）を経由して行うものとするが、内臓バッテリーから供給するなど種々の変形が可能である。
また、掃除機本体に吸込具１を直接接続可能な接続口とすることも可能である。
【００３５】
また、上記各実施の形態では表示装置１４を吸込具１に実装しているが、掃除機本体２７に表示装置を配設し、制御回路１３と表示装置１４との間を、延長用ホース又はパイプ２６に内蔵した接続線（図示しない）を介して接続することも可能である。
掃除機本体に内蔵するゴミ収納容器（図示しない）のゴミを捨てる際に使用者は掃除機本体を見ることになるので、掃除機本体２７に表示装置を配設することで、使用者の報知に対する認知を向上させることができ、ゴミ捨てに合わせて吸気口フィルタを掃除するという動機付けが可能となる。
【００３６】
上記各実施の形態に示した詳細な構成は組み合わせて用いることが可能であり、各実施の形態の構成及び動作に限定されない。
【符号の説明】
【００３７】
１    吸込具
１ａ  吸込具本体  
１ｂ  継手パイプ
２    回転ブラシ
２ａ  ブラシ本体
２ｂ  ブラシギア
２ｃ  ブラシ軸受
３    モータ
３ａ  モータ本体
３ｂ  モータギア
４    ギアボックス
５    中間ギア
５ａ  大ギア
５ｂ  小ギア
６    中間軸受
７    第一のベルト
８    第二のベルト
９ａ  ギア冷却用空気の吸気口
９ｂ  モータ冷却用空気の吸気口
９ｃ  基板冷却用空気の吸気口
１０  保護装置
１１  温度センサ
１２  演算回路
１３  制御回路
１４  表示装置
１５  吸込具の周囲空気温度
１６  フィルタ目詰まりなしの場合の冷却口内側の内部空気温度
１７  フィルタ目詰まりした場合の冷却口内側の内部空気温度
１８  予め設定した温度閾値
１９  第一の温度センサ
２０  第二の温度センサ
２１  吸込具の周囲空気温度
２２  フィルタ目詰まりなしの場合の冷却口内側の内部空気温度
２３  フィルタ目詰まりした場合の冷却口内側の内部空気温度
２４  吸込具の周囲空気温度とフィルタ目詰まりした場合の冷却口内側の内部空気温度との温度差
２５  予め設定した温度差の閾値
Ａ    吸気流
Ｂ    冷却口内側の内部空気温度が予め設定した温度閾値を超えた時点
Ｃ    周囲空気温度と冷却口内側の内部空気温度との温度差が、予め設定した温度差の閾値を超えた時点
２６  延長用ホースまたはパイプ
２７  掃除機本体
【図１】
2011056096.tif 000003
【図２】
2011056096.tif 000004
【図３】
2011056096.tif 000005
【図４】
2011056096.tif 000006
【図５】
2011056096.tif 000007
【図６】
2011056096.tif 000008
【図７】
2011056096.tif 000009
【図８】
2011056096.tif 000010
【図９】
2011056096.tif 000011